(57)【特許請求の範囲】
【請求項１】
光源が装着される器具本体と、
前記器具本体の下方に固定具によって固定され、内面が、光を反射する反射面である反射鏡と、
固定具による固定が解除された場合に、前記反射鏡が前記器具本体から落下しないように繋ぎ止める、落下防止部材としての連結部材と、
を有し、
前記器具本体の底部および前記反射鏡の上部のいずれか一方に貫通穴が設けられ、
前記連結部材は、板状材を加工して形成されると共に、
Ｔ字の横棒に相当する部分と、
Ｔ字の縦棒に相当する部分と、
前記Ｔ字の縦棒に相当する部分の下端に連接すると共に、前記器具本体または前記反射鏡に固定される部分である取付部分と、
を有し、
前記Ｔ字形状の横棒に相当する部分は、前記器具本体および前記反射鏡のうちの、前記貫通穴が設けられている方の内部に位置する抜け止め用の係止部であり、
前記Ｔ字形状の縦棒に相当する部分は、前記固定具による固定が解除された場合に、前記反射鏡が落下しないように繋ぎ止める支持部であり、前記支持部は、前記貫通穴に挿通され、
前記取付部分は、前記貫通穴に挿通されると共に、前記器具本体および前記反射鏡のうちの、前記貫通穴が設けられていない方に固定され、
前記支持部の長さは、前記固定具による固定が解除された場合に、前記反射鏡を、前記器具本体に接触しない状態で前記器具本体の下方に繋ぎ止める長さに設定される照明器具。
【請求項２】
請求項１に記載の照明器具において、
前記貫通穴および前記連結部材が、複数組設けられる照明器具。
【発明の詳細な説明】
【技術分野】
【０００１】
本発明は、高所に設けられている天井材等に取り付けて下方を照らす照明器具に関するものである。
【背景技術】
【０００２】
従来より、高天井等の高所に取り付けられて、下方を照らす照明器具が知られている（例えば、特許文献１参照）。
【０００３】
図８に示すように、前述したような高天井に取り付ける照明器具１００では、ランプ１０１を着脱可能に装着して点灯電力を供給する器具本体１０２の下方に、ランプ１０１の光を所定の範囲に反射する反射鏡１０３が着脱可能に取り付けられる。そして、ランプ１０１の交換時等で反射鏡１０３を取り外した際に、反射鏡１０３が落下しないように、落下防止用のワイヤー１０４が設けられている。
【先行技術文献】
【特許文献】
【０００４】
【特許文献１】特開平６−１７６６０６（図１）
【発明の概要】
【発明が解決しようとする課題】
【０００５】
しかしながら、前述したような従来の照明器具１００においては、反射鏡１０３の落下を防止するためのワイヤー１０４が、器具本体１０２および反射鏡１０３の外側に設けられているため外部から見えるので、意匠重視の照明器具１００においては、ワイヤー１０４の存在が意匠性を損なうという問題があった。
また、反射鏡１０３の落下をワイヤー１０４により防止した際に、反射鏡１０３が器具本体１０２にぶつかって破損し、その破片が落下する場合もあり、安全性でも問題があった。
【０００６】
本発明は、従来の問題を解決するためになされたもので、意匠性を損なうことなく且つ反射鏡の落下および破損を防止して安全性を確保できる照明器具を提供することを目的とする。
【課題を解決するための手段】
【０００７】
本発明の照明器具は、光源が装着される器具本体と、前記器具本体の下方に固定具によって固定され、内面が、光を反射する反射面である反射鏡と、固定具による固定が解除された場合に、前記反射鏡が前記器具本体から落下しないように繋ぎ止める、落下防止部材としての連結部材と、を有し、前記器具本体の底部および前記反射鏡の上部のいずれか一方に貫通穴が設けられ、前記連結部材は、板状材を加工して形成されると共に、Ｔ字の横棒に相当する部分と、Ｔ字の縦棒に相当する部分と、前記Ｔ字の縦棒に相当する部分の下端に連接すると共に、前記器具本体または前記反射鏡に固定される部分である取付部分と、を有し、前記Ｔ字形状の横棒に相当する部分は、前記器具本体および前記反射鏡のうちの、前記貫通穴が設けられている方の内部に位置する抜け止め用の係止部であり、前記Ｔ字形状の縦棒に相当する部分は、前記固定具による固定が解除された場合に、前記反射鏡が落下しないように繋ぎ止める支持部であり、前記支持部は、前記貫通穴に挿通され、前記取付部分は、前記貫通穴に挿通されると共に、前記器具本体および前記反射鏡のうちの、前記貫通穴が設けられていない方に固定され、前記支持部の長さは、前記固定具による固定が解除された場合に、前記反射鏡を、前記器具本体に接触しない状態で前記器具本体の下方に繋ぎ止める長さに設定されるものである。
【０００９】
さらに、本発明の照明器具は、前記貫通穴および前記連結部材が、複数組設けられるものである。
【発明の効果】
【００１０】
本発明は、器具本体と反射鏡との取付面のうちの一方に貫通穴を設け、この貫通穴を貫通する連結部材を他方に固定する。連結部材には、貫通穴に係止される係止部を有するので、万が一反射鏡が器具本体から外れても、反射鏡は連結部材により落下が防止される。これにより、安全性を確保する。また、反射鏡を器具本体に取り付けた状態では、取付面に設けられた連結部材および貫通穴は外部から見えないので、意匠性を損なわないという効果を有する照明器具を提供できる。
【図面の簡単な説明】
【００１１】
【図１】（Ａ）は本発明に係る第１実施形態の照明器具の側面図および断面図であり、（Ｂ）は（Ａ）中Ｂ部分の拡大断面図
【図２】（Ａ）は連結部材の平面図であり、（Ｂ）は連結部材の正面図であり、（Ｃ）は連結部材の側面図
【図３】貫通穴の大きさを示す平面図
【図４】連結板の取付状況を示す斜視図
【図５】反射鏡が器具本体から外れた状態を示す正面図および断面図
【図６】本発明に係る第２実施形態の照明器具の断面図
【図７】本発明に係る第２実施形態の照明器具において反射鏡が器具本体から外れた状態を示す断面図
【図８】従来の照明器具における問題点を示す斜視図
【発明を実施するための形態】
【００１２】
（第１実施形態）
以下、本発明に係る第１実施形態の照明器具について、図面を用いて説明する。
図１（Ａ）に示すように、本発明に係る第１実施形態の照明器具１０は、高所にある天井材１１に取り付けて下方を照明するのに用いることができる。天井材１１の下面には、照明器具１０を取り付けるための取付金具１２が取り付けられている。
【００１３】
照明器具１０は、光源であるランプ２１が装着される器具本体２０および器具本体２０の下方に取り付けられてランプ２１の光を所定の範囲に反射する反射鏡３０を有する。
器具本体２０は円筒形状をしており、天板２０１、周壁２０２、底板２０３を有する。天板２０１の上面には取付部２０４が設けられており、天井材１１の取付金具１２に着脱可能に取り付けられる。器具本体２０の内部には、ランプ２１を交換可能に装着するソケット２２が取り付けられており、底板２０３から下方に露出している。
なお、ソケット２２の上側には、点灯用の電力を供給する電源装置２３が設けられている。また、底板２０３の所定の位置には、後述する連結部材４０用の貫通穴２４が設けられている。
【００１４】
反射鏡３０は、中央に開口部３１１を有するリング板状の上板３１を有し、上板３１の外周縁から下方に向かって拡径する反射板３２を有する。反射板３２は、下端部が開口（開口部３３）した回転曲面体を呈しており、内面が鏡面仕上げされて反射面３４となっている。開口部３３には、透光板３５が着脱可能に設けられている。
これにより、ランプ２１からの光は、所定の範囲に照射される。
【００１５】
反射鏡３０は、例えばねじ等の固定具（図示省略）により器具本体２０の下方に着脱可能に取り付けられる。すなわち、器具本体２０側の取付面である底板２０３と、反射鏡３０側の取付面である上板３１とを対向させて、固定する。
また、上板３１の上面における所定位置には、反射鏡３０の落下防止用の連結部材４０がねじ４４により取り付けられる。
【００１６】
図２に示すように、連結部材４０は、全体Ｔ字形状の薄板で係止部４１と支持部４２とを形成し、支持部４２の先端（ここでは下端）を略直角に折り曲げて取付部４３を形成している。取付部４３にはねじ孔４３１が設けられており、ねじ４４により連結部材４０を反射鏡３０の上板３１に設けられているねじ孔３１２（図４参照）に取り付ける。
【００１７】
図２および図３に示すように、係止部４１の幅Ｗ１は、器具本体２０の底板２０３に設けられている貫通穴２４の幅Ｂ２よりも大きく（Ｗ１＞Ｂ２）、支持部４２の幅Ｗ２は、貫通穴２４の幅Ｂ２よりも小さい（Ｗ２＜Ｂ２）。
また、支持部４２の長さＬ１は、連結部材４０で反射鏡３０を支持した際に、反射鏡３０が器具本体２０に当接しない長さに設定されている（図５参照）。
なお、貫通穴２４の長さＢ１は、連結部材４０の取付部４３が通過できる大きさとする。すなわち、前述したように、幅Ｂ２は支持部４２の幅（すなわち、取付部４３の幅）Ｗ２より大きく（Ｂ２＞Ｗ２）、長さＢ１は取付部４３の長さＬ２よりも大きく（Ｂ１＞Ｌ２）する。
【００１８】
次に、図４に基づいて、連結部材４０の取り付け方について説明する。
連結部材４０の取付部４３は貫通穴２４を通過できるので、器具本体２０の底板２０３の上方から取付部４３を貫通穴２４に挿入して反射鏡３０の上板３１の上面に載置する。そして、ねじ４４を取付部４３のねじ孔４３１に挿入し、さらに反射鏡３０の上板３１に設けられているねじ孔４３１に締め付けて取り付ける。
【００１９】
図５には、反射鏡３０を器具本体２０に固定している固定具（図示省略）を取り外して、反射鏡３０を器具本体２０から取り外した状態が示されている。このとき、連結部材４０の係止部４１が器具本体２０の底板２０３に設けられている貫通穴２４を通り抜けることができないので、反射鏡３０は連結部材４０により器具本体２０にぶら下がる。
【００２０】
以上、説明した本発明に係る第１実施形態の照明器具１０によれば、反射鏡３０は、ランプ２１を有する器具本体２０に、固定具（図示省略）を介して取り付けられる。器具本体２０と反射鏡３０との取付面である器具本体２０の底板２０３に貫通穴２４を設け、この貫通穴２４を貫通する連結部材４０を他方である反射鏡３０の上板３１に固定する。連結部材４０には、貫通穴２４に係止される係止部４１を有するので、万が一反射鏡３０が器具本体２０から外れても、反射鏡３０は連結部材４０により落下が防止される。
これにより、安全性を確保できる。また、反射鏡３０を器具本体２０に取り付けた状態では、連結部材４０および貫通穴２４は外部から見えないので、意匠性を損なわない。
【００２１】
また、器具本体２０と反射鏡３０とを連結する連結部材４０は、反射鏡３０が器具本体２０に当接しない範囲で反射鏡３０を保持するので、反射鏡３０が外れた際に器具本体２０に当接して破損するのを防止できる。
【００２２】
（第２実施形態）
次に、本発明に係る第２実施形態の照明器具１０Ｂについて説明する。
なお、前述した第１実施形態にかかる照明器具１０と共通する部位には同じ符号を付し
て、重複する説明を省略することとする。
【００２３】
図６に示すように、第２実施形態の照明器具１０Ｂでは、器具本体２０の底板２０３に複数個（以後、２個設ける場合について説明する）の貫通穴２４を設けるとともに、反射鏡３０の上板３１において貫通穴２４に対応した位置に、複数個（以後、２個設ける場合について説明する）の連結部材４０を取り付けたものである。
【００２４】
図７には、照明器具１０Ｂにおいて、反射鏡３０を器具本体２０に固定している固定具（図示省略）を取り外して、反射鏡３０を器具本体２０から取り外した状態が示されている。このとき、一対の連結部材４０，４０の係止部４１が器具本体２０の底板２０３に設けられている一対の貫通穴２４，２４を通り抜けることができないので、反射鏡３０は連結部材４０により器具本体２０にぶら下がる。
例えば、一対の貫通穴２４，２４が器具本体２０の中心に対して点対称の位置に設けられている場合には、図７に示すように、反射鏡３０は水平状態を保持して吊り下げられる。
【００２５】
以上、説明した本発明に係る第２実施形態の照明器具１０Ｂによれば、前述した第１実施形態の照明器具１０と同様の作用・効果を得ることができる。
さらに、貫通穴２４および連結部材４０を複数組設けたので、反射鏡３０の落下を確実に防止できる。また、反射鏡３０を複数点で支持するので、反射鏡３０を水平に保持できる。
【００２６】
なお、本発明の照明器具は、前述した各実施形態に限定されるものでなく、適宜な変形，改良等が可能である。
例えば、前述した各実施形態においては、器具本体２０の底板２０３に貫通穴２４を設けるとともに、反射鏡３０の上板３１に連結部材４０を取り付けた場合を例示したが、器具本体２０の底板２０３の下面に連結部材４０を設け、反射鏡３０の上板３１に貫通穴２４を設けることも可能である。
また、前述した各実施形態においては、光源としてランプ２１を用いた場合を例示したが、そのほか、ＬＥＤや蛍光ランプを用いることも可能である。
【符号の説明】
【００２７】
１０，１０Ｂ  照明器具
２０  器具本体
２０３  底板（取付面）
２１  ランプ（光源）
２４  貫通穴
３０  反射鏡
３１  上板（取付面）
４０  連結部材
４１  係止部
【図１】
0005562164.tif 000002
【図２】
0005562164.tif 000003
【図３】
0005562164.tif 000004
【図４】
0005562164.tif 000005
【図５】
0005562164.tif 000006
【図６】
0005562164.tif 000007
【図７】
0005562164.tif 000008
【図８】
0005562164.tif 000009